(57)【要約】      （修正有）【課題】後頭部から頭頂部、更に前頭部にかけて布を触れさせることにより、刺激を頭皮に与え、使い慣れた枕を使用でき、接触部が蒸れず快適な睡眠が得られ、洗濯が可能で、携帯性に優れた頭皮マッサージ器具を提供する。【解決手段】後頭部から頭頂部、更に前頭部までの長さ以上の傾斜した接触部７を持つ頭皮マッサージ器具１であって、頭皮と接触する接触部を持つ布３と接触部に張力を持たせる弾力のあるワイヤー４から構成される本体２と、本体両端に設けられた形状を維持するためのバンド５と、本体下部に設けられた使用位置に留まるための転倒防止部８とを備え、後頭部から頭頂部、更に前頭部まで布が触れることにより頭皮に刺激を与える。【選択図】図１
2019154483.tif 000002
【特許請求の範囲】
【請求項１】
後頭部から頭頂部、更に前頭部までの長さ以上の傾斜した接触部を持つ頭皮マッサージ器具であって、頭皮と接触する前記接触部を持つ布と前記接触部に張力を持たせる弾力のあるワイヤーから構成される本体と、前記本体両端に設けられた形状を維持するためのバンドと、前記本体下部に設けられた使用位置に留まるための転倒防止部とを備え、
更に前記本体は、前記布に左右対称の楕円状のワイヤー敷設ルートを備え、環状の前記ワイヤーが敷設され構成され、前記本体は、前記バンドを接続しない状態では平らな展開状態を保持し、前記バンドを引き寄せ前記バンドに備えられた固定具により接続することで前記本体は湾曲し成型ポテトチップス状の組立状態に切り替わることを特徴とする頭皮マッサージ器具。
【請求項２】
頭部を前記ワイヤーに囲まれた前記布の前記接触部に押し当てることで前記接触部が頭部の形状に沿って変形し使用状態に切り替わり、前記使用状態では後頭部から頭頂部、更に前頭部にかけて前記接触部が頭皮に触れることにより刺激を頭皮に与えることを特徴とする請求項１に記載の頭皮マッサージ器具。
【請求項３】
前記ワイヤーの断面形状が長方形であることを特徴とする請求項１から２に記載の頭皮マッサージ器具。
【請求項４】
前記ワイヤーの両端をつまみ、両端をねじり半回転させることで前記ワイヤーが三重の小さな円となり、面積が前記展開状態の約８分の１となる収納状態に切り替わり、前記展開状態又は前記組立状態から前記収納状態に切り替わり、また、前記収納状態で前記ワイヤーの片端を持ち上げることで前記ワイヤーの弾力により前記収納状態から前記展開状態又は前記組立状態に切り替わることを特徴とする請求項１から３に記載の頭皮マッサージ器具。
【請求項５】
前記組立状態において、前記ワイヤーの曲がり部の面が前記接触部の面と略平行となる構造を持つことを特徴とする請求項１から４に記載の頭皮マッサージ器具。
【請求項６】
前記本体の形状は、左右及び上下がそれぞれ対称であることを特徴とする請求項１から５に記載の頭皮マッサージ器具。
【発明の詳細な説明】
【技術分野】
【０００１】
本発明は、後頭部から頭頂部、更に前髪の生え際（以下「前頭部」という。）にかけて布が頭皮に触れることにより、枕が後頭部や側頭部に触れるのと同様の刺激を頭皮に与えることを特徴とする頭皮マッサージ器具に関するものである。
【背景技術】
【０００２】
枕を使用して仰向け又は横を向いて寝る場合、後頭部又は側頭部は長時間枕と接している。枕と接した頭皮は少なからず枕からの刺激を受けているが、後頭部から頭頂部、更に前頭部にかけては枕が触れることはなく、刺激を受けることはない。
【０００３】
後頭部から頭頂部にかけ枕を頭皮に接触させ、頭皮に刺激を与える技術として、例えば、実用新案登録第３１３４１９２号公報（特許文献１）には、頭頂部及び頭頂部と後頭部が接する部分の禿を回復させ、又はこの部分の育毛を促進する「頭頂部から後頭部へかけての頭髪の育毛を促進する枕」が開示されている。
【先行技術文献】
【特許文献】
【０００４】
【特許文献１】実用新案登録第３１３４１９２号公報
【発明の概要】
【発明が解決しようとする課題】
【０００５】
しかしながら、上述した特許文献１は、後頭部から頭頂部、更に前頭部にかけて連続した接触部が得られなかった。
【０００６】
また、使い慣れた枕を使用できず、低反発ウレタンを素材としているため通気性が乏しく、特に夏場は接触部が蒸れ、あせもなどを引き起こす要因となり、枕本来の目的である快適な睡眠を得ることができなかった。
【０００７】
更に、形状は個人の頭部の形に合わせる必要があり、枕が大型になるため洗濯が難しく衛生的に問題があり、携帯性に乏しいため旅先等で使用することが難しかった。
【０００８】
解決しようとする問題点は、後頭部から頭頂部、更に前頭部まで一連の接触部が得られていないこと、個々の頭部の形ごとに製作する必要があること、使い慣れた枕を使用できないこと、接触部が蒸れ快適な睡眠が得られないこと、洗濯が難しく携帯性に乏しいことである。
【課題を解決するための手段】
【０００９】
この目的を解決するために請求項１記載の頭皮マッサージ器具は、後頭部から頭頂部、更に前頭部までの長さ以上の傾斜した接触部を持つ頭皮マッサージ器具であって、頭皮と接触する前記接触部を持つ布と前記接触部に張力を持たせる弾力のあるワイヤーから構成される本体と、前記本体両端に設けられた形状を維持するためのバンドと、前記本体下部に設けられた使用位置に留まるための転倒防止部とを備え、
更に前記本体は、前記布に左右対称の楕円状のワイヤー敷設ルートを備え、環状の前記ワイヤーが敷設され構成され、前記本体は、前記バンドを接続しない状態では平らな展開状態を保持し、前記バンドを引き寄せ前記バンドに備えられた固定具により接続することで前記本体は湾曲し成型ポテトチップス状の組立状態に切り替わる。
【００１０】
請求項２記載の頭皮マッサージ器具は、頭部を前記ワイヤーに囲まれた前記布の前記接触部に押し当てることで前記接触部が頭部の形状に沿って変形し使用状態に切り替わり、前記使用状態では後頭部から頭頂部、更に前頭部にかけて前記接触部が頭皮に触れることにより刺激を頭皮に与えることができる。
【００１１】
請求項３記載の頭皮マッサージ器具は、前記ワイヤーの断面形状が長方形である。
【００１２】
請求項４記載の頭皮マッサージ器具は、前記ワイヤーの両端をつまみ、両端をねじり半回転させることで前記ワイヤーが三重の小さな円となり、面積が前記展開状態の約８分の１となる収納状態に切り替わり、前記展開状態又は前記組立状態から前記収納状態に切り替わり、また、前記収納状態で前記ワイヤーの片端を持ち上げることで前記ワイヤーの弾力により前記収納状態から前記展開状態又は前記組立状態に切り替えることができる。
【００１３】
請求項５記載の頭皮マッサージ器具は、前記組立状態において、前記ワイヤーの曲がり部の面が前記接触部の面と略平行となる構造を持つ。
【００１４】
請求項６記載の頭皮マッサージ器具は、前記本体の形状が左右及び上下がそれぞれ対称である。
【発明の効果】
【００１５】
請求項１記載の頭皮マッサージ器具によれば、後頭部から頭頂部、更に前頭部までの長さ以上の傾斜した接触部を持つ頭皮マッサージ器具であって、頭皮と接触する前記接触部を持つ布と前記接触部に張力を持たせる弾力のあるワイヤーから構成される本体と、前記本体両端に設けられた形状を維持するためのバンドと、前記本体下部に設けられた使用位置に留まるための転倒防止部とを備え、
更に前記本体は、前記布に左右対称の楕円状のワイヤー敷設ルートを備え、環状の前記ワイヤーが敷設され構成され、前記本体は、前記バンドを接続しない状態では平らな展開状態を保持し、前記バンドを引き寄せ前記バンドに備えられた固定具により接続することで前記本体は湾曲し成型ポテトチップス状の組立状態に切り替わり、
請求項２記載の頭皮マッサージ器具によれば、頭部を前記ワイヤーに囲まれた前記布の前記接触部に押し当てることで前記接触部が頭部の形状に沿って変形し使用状態に切り替わり、前記使用状態では後頭部から頭頂部、更に前頭部にかけて前記接触部が頭皮に触れることにより刺激を頭皮に与えることができ、育毛の効果が期待できる。
【００１６】
頭皮マッサージ器具は、枕の上に乗せて使用するため、使い慣れた枕を使用でき、また、頭皮との接触部は布１枚であり、通気性を確保できるため接触部が蒸れず、快適な睡眠を得ることができる。
【００１７】
請求項３記載の頭皮マッサージ器具は、前記ワイヤーの断面形状が長方形であり、請求項５記載の頭皮マッサージ器具は、前記組立状態において、前記ワイヤーの曲がり部の面が前記接触部の面と略平行となる構造を持つため、容易にワイヤーが曲がり前記組立状態から前記使用状態に変化させることができ、接触部に適度な張力を持たせ、頭部の形が異なっても、張力により確実に所定部に触れ頭皮に刺激を与えるので、形状は個々の頭部の形に合わせる必要が無い。
【００１８】
請求項３記載の頭皮マッサージ器具は、前記ワイヤーの断面形状が長方形であるため、環状の前記ワイヤーは三重の円にした場合、面がそろい状態が安定しやすく、請求項４記載の頭皮マッサージ器具は、前記ワイヤーの両端をつまみ、両端をねじり半回転させることで前記ワイヤーが三重の小さな円となり、面積が前記展開状態の約８分の１となる収納状態に切り替わり、前記展開状態又は前記組立状態から前記収納状態に切り替わり、また、前記収納状態で前記ワイヤーの片端を持ち上げることで前記ワイヤーの弾力により前記収納状態から前記展開状態又は前記組立状態に切り替えることができるので、ネットに入れて洗濯ができ衛生的であり、携帯性に富むため旅先等で使用することが容易となる。
【００１９】
請求項６記載の頭皮マッサージ器具は、前記本体の形状が左右及び上下がそれぞれ対称であるため、使用時の左右への無理な力により座屈することを防ぎ、成型ポテトチップス状の組立状態を維持できる。
【図面の簡単な説明】
【００２０】
【図１】図１は、本発明の組立状態を示した斜視図である。
【図２】図２は、本発明の展開状態を示した平面図である。
【図３】図３は、本発明の使用状態を示した側面図である。
【図４】図４は、人が仰向けに寝た状態を側面から見た図である。
【図５】図５は、頭皮マッサージ器具１の基本図形を示した図である。
【図６】図６は、図４の辺６１及び底辺６２に余長を加えた図である。
【図７】図７は、図５の辺６１、底辺６２及び接触線６３に余長を加えた図である。
【図８】図８は、図７の基本図形７９から基本断面８０を切り出した図である。
【図９（ａ）】図９（ａ）は、基本断面８０から組立状態の形状を設計する手順を示した図である。
【図９（ｂ）】図９（ｂ）は、基本断面８０から組立状態の形状を設計する手順を示した図である。
【図９（ｃ）】図９（ｃ）は、基本断面８０から組立状態の形状を設計する手順を示した図である。
【図１０（ａ）】図１０（ａ）は、図９（ｃ）の本体２を平らにした展開状態を示した平面図である。
【図１０（ｂ）】図１０（ｂ）は、図１０（ａ）のＡ−Ａ’断面を示した図である。
【図１１】図１１は、本体２の組立状態におけるワイヤー４の向きを示した図である。
【図１２（ａ）】図１２（ａ）は、本発明の組立状態から使用状態までの状態遷移を示した写真である。
【図１２（ｂ）】図１２（ｂ）は、本発明の組立状態から使用状態までの状態遷移を示した写真である。
【図１２（ｃ）】図１２（ｃ）は、本発明の組立状態から使用状態までの状態遷移を示した写真である。
【図１３（ａ）】図１３（ａ）は、本発明の組立状態から収納状態までの状態遷移を示した写真である。
【図１３（ｂ）】図１３（ｂ）は、本発明の組立状態から収納状態までの状態遷移を示した写真である。
【図１３（ｃ）】図１３（ｃ）は、本発明の組立状態から収納状態までの状態遷移を示した写真である。
【図１３（ｄ）】図１３（ｄ）は、本発明の組立状態から収納状態までの状態遷移を示した写真である。
【図１３（ｅ）】図１３（ｅ）は、本発明の組立状態から収納状態までの状態遷移を示した写真である。
【図１４（ａ）】図１４（ａ）は、基本断面を上下非対称とした際の例を示した図である。
【図１４（ｂ）】図１４（ｂ）は、基本断面を上下非対称とした際の例を示した図である。
【図１４（ｃ）】図１４（ｃ）は、基本断面を上下非対称とした際の例を示した写真である。
【図１５（ａ）】図１５（ａ）は、図９（ａ）の円柱８３の設計半径８１を３倍にした半径８７の円柱８８から組立状態の形状を設計した図である。
【図１５（ｂ）】図１５（ｂ）は、図９（ａ）の円柱８３の設計半径８１を３倍にした半径８７の円柱８８から組立状態の形状を設計した図である。
【発明を実施するための形態】
【００２１】
図１及び図３を参照して、頭皮マッサージ器具の構成について説明する。図１は、本発明の組立状態を示した斜視図、図３は、本発明の使用状態を示した側面図である。頭皮マッサージ器具１は、後頭部１１から頭頂部１２、更に前頭部１３までの長さ以上の傾斜した接触部７を持ち、頭皮と接触する前記接触部７を持つ布３と前記接触部７に張力を持たせる弾力のあるワイヤー４から構成される本体２と、前記本体２両端に設けられた形状を維持するためのバンド５と、前記本体２下部に設けられた使用位置に留まるための転倒防止部８とを備え、更に前記本体２は、前記布３に左右対称の楕円状のワイヤー敷設ルート１４を備え、環状の前記ワイヤー４が敷設され構成される。
【００２２】
まず、各部位の詳細構成を説明する前に、図４及び図５を参照して頭皮マッサージ器具１が頭皮に接する原理を説明する。図４は、人が仰向けに寝た状態を側面から見た図、図５は、頭皮マッサージ器具１の基本図形を示した図である。後頭部１１は頭部１０が床面に接する点を、前頭部１３は前髪の毛の生え際を示している。円５２は、後頭部１１から前頭部１３までの頭部１０の曲線を円で近似したものであり、中心５４は円５２の中心を、半径５３は円５２の半径を示している。交点５５は、円５２上の後頭部１１の接線と前頭部１３の接線が交わる点を示しており、円弧５８は円５２の後頭部１１から前頭部１３までの円弧を示している。辺６１は交点５５と前頭部１３を結ぶ直線を、底辺６２は交点５５と後頭部１１を結ぶ直線を示している。辺６１と底辺６２の素材を伸縮しない弾力のあるワイヤー、円弧５８の素材を布とすると、後頭部接点５７及び前頭部接点５６は、後頭部１１及び前頭部１３がそれぞれ布に接する点を示し、図５の接触線６３は、図４の円弧５８の布をまっすぐに伸ばした状態を示し、図５に示す辺６１、底辺６２及び接触線６３から成る三角形が頭皮マッサージ器具１の本体２の基本図形６４となる。図５の接触線６３に頭部１０を押し当てると、接触線６３の布が頭部１０に沿って曲線を成し、図４に示す円弧５８と同様となり、接触線６３の布は図４の後頭部１１から前頭部１３まで接する。図１及び図２の接触部７は接触線６３を中心とする頭皮と布３が接触する面を示している。
【００２３】
図５に戻り、実際には底辺６２と接触線６３の間の傾斜角度６０と接触線６３の長さが確保されれば良く、例えば、辺６１と底辺６２の代わりにワイヤー５９で前頭部接点５６と後頭部接点５７を結んでも上記動作原理のとおり動作する。ワイヤー５９で前頭部接点５６と後頭部接点５７を結ぶと、接触線６３に張力がかかり、使用時に適度な圧力が頭皮に伝わりマッサージ効果を高める。ワイヤー５９を使用せずに本発明品を辺６１と底辺６２及び接触線６３で構成すると、接触線６３は辺６１の自重により閉じてしまい、使用時に接触線６３を開いて頭部１０を押し当てなければならないが、ワイヤー５９を使用することによりワイヤー５９の弾力により組立状態では接触線６３には張力が働き、接触線６３は開いた状態となり、使用時に接触線６３を開かなくても頭部１０を押し当てるだけで使用できる。
【００２４】
次に、図６から図１０を参照して頭皮マッサージ器具１の本体２の設計方法を説明する。図６及び図７は、図４の辺６１及び底辺６２並びに図５の辺６１、底辺６２及び接触線６３に余長を加えた図である。図４の状態では、後頭部１１及び前頭部１３にワイヤーが当たるため、実際には図６に示すとおり、例えば後頭部接点５７から首元７４までの余長Ａ７１及び前頭部接点５６から眉毛の位置（先端７３）までの余長Ｂ７２を考慮し、図７の基本図形７９を設計し、設計接触線７５と設計傾斜角度７６を決定する。なお、設計接触線７５は、接触線６３に余長Ａ７１と余長Ｂ７２を足したものである。
【実施例１】
【００２５】
図８は、図７の基本図形７９から基本断面８０を切り出した図である。図５の原理で説明したとおり、実際には、設計傾斜角度７６と設計接触線７５の長さが確保されれば良く、図８に示すように先端７３と首元７４の間をワイヤー７７で結び、基本断面８０を設計する。このとき、先端７３の角度Ａ７８は設計傾斜角度７６と同等とし、基本断面８０は、設計接触線７５の垂直二等分線に対して対称の形とする。このとき、基本断面８０の設計接触線７５からワイヤー７７の一番遠いところまでの距離を設計半径８１とする。
【００２６】
図９は、基本断面８０から組立状態の形状を設計する手順を示した図であり、（ａ）は斜視図、（ｂ）は（ａ）の透視図である。図９（ａ）を参照して、立体図形Ａ８２は基本断面８０を面の垂直方向に引き伸ばして形成した立体図形であり、円柱８３は半径が設計半径８１の円柱である。円柱８３は、その軸が基本断面８０の設計接触線７５と平行になるよう配置され、円柱８３の円周と立体図形Ａ８２の設計接触線７５を引き伸ばして形成された平面が接するよう重ねて配置されている。このとき、立体図形Ａ８２と円柱８３の交線８４が、頭皮マッサージ器具１の本体２の組立状態の形状であり、図９（ｃ）は、交線８４に布３を張った本体２の組立状態を示している。
【００２７】
図１０（ａ）は、図９（ｃ）の本体２を平らにした展開状態を示した平面図である。本体２の布３には、展開状態の形状に沿って、ワイヤー敷設ルート１４を設け、環状のワイヤー４を敷設する。図１０（ｂ）は、図１０（ａ）のＡ−Ａ’断面を示した図である。
【００２８】
図１１は、本体２の組立状態におけるワイヤー４の向きを示した図である。使用状態では、ワイヤーの曲がり部８５周辺が主に湾曲することになるが、図９で説明したように、円柱８３の半径を設計半径８１とすることで、組立状態においてワイヤー４の曲がり部８５の面が接触部７の面と略平行となり、ワイヤーは図１０（ｂ）に示すワイヤー断面の長辺方向に曲がるため、組立状態から使用状態への状態変化が容易となる。
【００２９】
次に、図１及び図２を参照して各部位の詳細構成を説明する。図１は、本発明の組立状態を示した斜視図であり、図２は本発明の展開状態を示した平面図である。図２に示すように、本体２の左右にバンド５が備えられおり、バンド５には例えば面ファスナーのような固定具６が備えられている。本体２は、バンド５を接続しない状態では平らな図２に示す展開状態を保持し、左右のバンド５を引き寄せバンド５に備えられた固定具６により接続することで本体２は湾曲し、図１に示すような成型ポテトチップス状の組立状態に切り替わる。ここで、バンド５により、本体２の曲面の半径を調整することで、前記ワイヤー４の曲がり部８５の面の角度を変え、前記設計接触線７５の張力を加減することができる。例えば、バンド５を長くし本体２の曲面の半径を大きくすることで張力を強く、半径を小さくすることで張力を弱くすることができ、頭皮への圧力を変えることが出来る。また、本体２の下部には転倒防止部８が備えられており、寝返り等で本器具が転がり、使用位置から無くなることを防ぎ、使用位置に留まることを助けている。
【００３０】
図３は、本発明の使用状態を示した側面図である。図１に示す組立状態にした後、頭皮マッサージ器具１を普段使用している枕９の上に置き、転倒防止部８を枕９の下に挟み込み固定する。次に前記動作原理で説明したとおり、頭部１０を接触部７に押し当てることで、本体２を湾曲させ、組立状態から使用状態に切り替える。これにより、接触部７が後頭部１１から頭頂部１２、更に前頭部１３にかけて接触する。図１２の（ａ）から（ｃ）は本発明の組立状態から使用状態までの状態遷移を示した写真である。
【００３１】
使用状態では、接触部７が頭皮に均一な圧力を与え、呼吸・鼓動による微動や寝返りによる摩擦により、枕が後頭部や側頭部に与えるのと同様の刺激とマッサージ効果を、就寝中、意識することなく後頭部１１から頭頂部１２、更に前頭部１３にかけて長時間与えることができる。実際には、接触部７の圧力と摩擦は毛髪に働き、毛髪を伝わって毛根に対し押す力と引っ張る力を与え刺激となる。毛髪は太いほうが弾力性が高く、より毛根を押す力が大きく働き、また、接触面積が大きいため摩擦が大きく働き、毛根を引っ張る力が大きく働く。つまり、細くなった毛髪より、太い毛髪のほうがマッサージ効果は高い。したがって、毛髪が太い段階で本発明品を使用してマッサージを行い、太い毛を維持することが望ましい。
【００３２】
ワイヤー４は、例えば断面形状が幅２〜４ミリ、厚さ０．４〜０．６ミリの長方形を成す板形状の弾力性のある硬鋼線等から構成され、両端を接続して環状を形成する。ワイヤー４は円に戻ろうとする力が働き、バンド５を引き寄せた場合は図１のように本体２が成型ポテトチップス状の立体的な組立状態を維持するよう働き、バンド５を切り離したときは図２のように平らな展開状態を維持するよう働く。
【００３３】
図１３は、本発明の組立状態から収納状態までの状態遷移を示した写真である。頭皮マッサージ器具１両端のバンド５の付け根あたりのワイヤーを両手でつまみ、両端を相反する方向にねじり半回転させることで、（ａ）から（ｅ）に示すように組立状態から収納状態に切り替わる。収納状態では、ワイヤー４が３重の円となり重なり合い、面積が展開状態の約８分の１となる。これは、板形状の硬鋼線を使用したために可能となるものであり、３重とすることで、ワイヤー４の面が同じ向きに重なり状態が安定する。これにより、専用の網に収納して洗濯することも可能となり、携帯性に富むため旅先等で使用することも容易となる。また、ワイヤー４の片端を持ち上げることでワイヤー４の弾力により収納状態から組立状態に切り替わる。なお、同様に展開状態から収納状態へ切り替えることも可能である。
【００３４】
本発明は、主にワイヤー４と布３から構成され、重量も約６０ｇと軽量であり、収納状態では直径約１７ｃｍと小型である。
【実施例２】
【００３５】
図１４は、基本断面を上下非対称とした際の例を示した図と写真である。図１４（ａ）は図７の基本図形７９から、設計傾斜角度７６の角度と設計接触線７５の長さを確保し、設計半径８１を小さくし、基本断面８６を設計したものである。図９を用いて説明した前記本体２の組立状態の設計方法と同様に設計すると、図１４（ｂ）のような左右対称で上下非対称の展開状態の図形が得られる。この設計では、組立状態から使用状態へ変化する際の反応速度が速く、頭皮への圧力が強くなるメリットがあるが、設計半径８１が小さいため、頭皮と布の接触部７の幅が狭くなり、接触部７の面積が小さくなったり、使用状態で左右に無理な力を加えると、図１４（ｃ）に示すようにワイヤー４が座屈を起こし、組立状態や使用状態を維持できなくなったりするというデメリットがある。
【実施例３】
【００３６】
図１５は、図９（ａ）の円柱８３の設計半径８１を３倍にした半径８７の円柱８８から組立状態の形状を設計した図である。これにより、頭皮と布の接触部７が広がり、接触部７の面積が大きくなるメリットがある。しかし、組立状態において、図１１のワイヤー４の曲がり部８５の面は接触部７と略平行になるが、図１５（ｂ）のワイヤー４の曲がり部８５の面は接触部７と平行にならず、組立状態から使用状態への状態変化が容易に行えない。
【符号の説明】
【００３７】
１  頭皮マッサージ器具
２  本体
３  布
４  ワイヤー
５  バンド
６  固定具
７  接触部
８  転倒防止部
９  枕
１０  頭部
１１  後頭部
１２  頭頂部
１３  前頭部
１４  ワイヤー敷設ルート
５２  円
５３  半径
５４  中心
５５  交点
５６  前頭部接点
５７  後頭部接点
５８  円弧
５９  ワイヤー
６０  傾斜角度
６１  辺
６２  底辺
６３  接触線
６４  基本図形
７１  余長Ａ
７２  余長Ｂ
７３  先端
７４  首元
７５  設計接触線
７６  設計傾斜角度
７７  ワイヤー
７８  角度Ａ
７９  基本図形
８０  基本断面
８１  設計半径
８２  立体図形Ａ
８３  円柱
８４  交線
８５  曲がり部
８６  基本断面
８７  設計半径８１を３倍にした半径
８８  円柱
【図１】
2019154483.tif 000003
【図２】
2019154483.tif 000004
【図３】
2019154483.tif 000005
【図４】
2019154483.tif 000006
【図５】
2019154483.tif 000007
【図６】
2019154483.tif 000008
【図７】
2019154483.tif 000009
【図８】
2019154483.tif 000010
【図９（ａ）】
2019154483.tif 000011
【図９（ｂ）】
2019154483.tif 000012
【図９（ｃ）】
2019154483.tif 000013
【図１０（ａ）】
2019154483.tif 000014
【図１０（ｂ）】
2019154483.tif 000015
【図１１】
2019154483.tif 000016
【図１２（ａ）】
2019154483.tif 000017
【図１２（ｂ）】
2019154483.tif 000018
【図１２（ｃ）】
2019154483.tif 000019
【図１３（ａ）】
2019154483.tif 000020
【図１３（ｂ）】
2019154483.tif 000021
【図１３（ｃ）】
2019154483.tif 000022
【図１３（ｄ）】
2019154483.tif 000023
【図１３（ｅ）】
2019154483.tif 000024
【図１４（ａ）】
2019154483.tif 000025
【図１４（ｂ）】
2019154483.tif 000026
【図１４（ｃ）】
2019154483.tif 000027
【図１５（ａ）】
2019154483.tif 000028
【図１５（ｂ）】
2019154483.tif 000029